(57)【要約】【課題】利用者が、目的とする情報提供サイトに無駄なく迅速に到達することのできるインターネット情報検索システムを提供する。【解決手段】情報検索サービスを提供している検索サーバ１１は、インターネット網１４を経由して、定期的に不特定多数の情報提供サーバ１５にアクセスして情報を取得し、取得した情報をデータベース１０内に蓄積する。情報検索サービスの利用者が、クライアント端末１２からインターネット網１４を介して検索サーバ１１に接続し、ブラウザ１３から検索キーワードを入力すると、検索サーバ１１は、データベース１０にアクセスして、該当するアドレス一覧をブラウザ１３に通知する。このとき、ページの参照時間、ページ内のキーワード数、過去に参照された回数（ヒット数）の３つの条件に重み付けを行うことにより表示順を決定してアドレス一覧をブラウザ１３に通知する。【選択図】　　　図１
2004021589.tif 000002
【特許請求の範囲】
【請求項１】
インターネットを介して不特定多数の情報提供サーバから情報を取得して検索データベースに格納し、検索キーワードを用いて検索要求が行われると前記検索データベースにアクセスして情報提供サイトのアドレス一覧である検索結果を得る検索サーバと、インターネットに接続され、ブラウザを使用して前記検索サーバに検索要求を行い、前記検索サーバから検索結果の通知を受けるクライアント端末とを備えるインターネット情報検索システムにおいて、
前記検索サーバは、ページの参照時間、ページ内のキーワード数、過去に参照された回数の３つの条件に重み付けを行うことにより表示順を決定して検索結果を前記クライアント端末に通知することを特徴とするインターネット情報検索システム。
【請求項２】
前記重み付けは、前記３つの条件のうち、ページの参照時間が最も大きいことを特徴とする請求項１に記載のインターネット情報検索システム。
【請求項３】
前記参照時間は、前記クライアント端末で前記検索結果から任意のアドレスを選択し、次のアドレスを選択するまでの時間を計測して求めることを特徴とする請求項１または２に記載のインターネット情報検索システム。
【請求項４】
前記検索サーバは、定期的にインターネット網を経由して、不特定多数の情報提供サーバから情報を取得することを特徴とする請求項１〜３のいずれかに記載のインターネット情報検索システム。
【請求項５】
インターネットを介して不特定多数の情報提供サーバから情報を取得して検索データベースに格納する検索サーバに、クライアント端末からインターネット網を介して検索キーワードを用いて検索要求が行われると、前記検索サーバは、前記検索データベースにアクセスしてページの参照時間、ページ内のキーワード数、過去に参照された回数の３つの条件に重み付けを行うことにより表示順を決定して情報提供サイトのアドレス一覧である検索結果を前記クライアント端末に通知することを特徴とするインターネット情報検索方法。
【請求項６】
前記重み付けは、前記３つの条件のうち、ページの参照時間が最も大きいことを特徴とする請求項５に記載のインターネット情報検索方法。
【発明の詳細な説明】
【０００１】
【発明の属する技術分野】
この発明は、検索キーワードを用いて情報提供サイトの検索を行うインターネット情報検索システムに関する。
【０００２】
【従来の技術】
検索キーワードを入力してクライアント端末から利用者が検索サーバにインターネット網を経由して情報検索を行うと、数百から数万ものページ情報がヒットする。検索サーバは、これらの一覧を表示させる場合、ページ内の検索キーワードの数が多いもの、または過去に参照された回数であるヒット数の多いものを優先に表示させている。
【０００３】
【発明が解決しようとする課題】
上述した従来の検索サーバでの情報検索では、トレンドとなっているキーワードの場合、ヒット数だけを目的として故意にこのキーワードを数多く組み込んだページが上位に並ぶことになり、利用者は関係のないページを見させられることになり、目的のサイトへの到達までにかなりの時間を要している。従って、利用者が参照した回数が多いだけでは有効な情報ページであるとは断定できない。
【０００４】
この発明の目的は、インターネットの情報検索サービスを行っているサイトにおいて、利用者が、目的とする情報提供サイトに無駄なく迅速に到達することのできるインターネット情報検索システムを提供することにある。
【０００５】
【課題を解決するための手段】
この発明は、インターネットを介して不特定多数の情報提供サーバから情報を取得して検索データベースに格納し、検索キーワードを用いて検索要求が行われると検索データベースにアクセスして情報提供サイトのアドレス一覧である検索結果を得る検索サーバと、インターネットに接続され、ブラウザを使用して検索サーバに検索要求を行い、検索サーバから検索結果の通知を受けるクライアント端末とを備えるインターネット情報検索システムにおいて、検索サーバは、ページの参照時間、ページ内のキーワード数、過去に参照された回数の３つの条件に重み付けを行うことにより表示順を決定して検索結果をクライアント端末に通知することを特徴とする。
【０００６】
重み付けは、上述した３つの条件のうち、ページの参照時間が最も大きいことが望ましく、参照時間は、クライアント端末で検索結果から任意のアドレスを選択し、次のアドレスを選択するまでの時間を計測して求めることが望ましい。
【０００７】
【発明の実施の形態】
次に、この発明の実施の形態について図面を参照して説明する。
【０００８】
図１は、この発明のインターネット情報検索システムの実施の形態を示すシステム構成図である。図１に示すインターネット情報検索システムは、検索サーバ１１と、検索したデータを格納するデータベース１０と、ブラウザ１３を使用して検索サーバ１１の情報検索サービスを受けるクライアント端末１２と、不特定多数の情報提供サーバー１５と、検索サーバ１１とクライアント端末１２と情報提供サーバ１５を接続するインターネット網１０４から構成される。
【０００９】
情報検索サービスを提供している検索サーバ１１は、定期的にインターネット網１４を経由して、不特定多数の情報提供サーバ１５から情報を取得している。この取得した情報は、データベース１０内に蓄積される。
【００１０】
図２は、検索サーバとクライアント端末の動作の概要を示す図である。図２において、インターネットの情報検索を利用者が使用したい場合は、クライアント端末１２のブラウザ１３から検索キーワード１６を入力してインターネット網１４を経由して検索サーバ１１に検索要求を行う。
【００１１】
検索要求が行われると、検索サーバ１１は、検索データベース１０にアクセスして、情報提供サイトのアドレス一覧である検索結果１７を得て、検索結果１７をクライアント端末１２に通知する。その時、検索サーバ１１は、検索データベース１０からページの参照時間、ページ内のキーワード数、過去に参照された回数（ヒット数）の３つの条件に重み付けを行うことにより表示順を決定して検索結果１７をクライアント端末１２に通知する。重み付けは、３つの条件のうち、ページの参照時間が最も大きいことが好ましい。例えば、参照時間＞回数（ヒット数）＞キーワード数の順に重み付けを行って表示順を決定して検索結果１７をクライアント端末１２に通知する。クライアント端末１２は、決定された表示順に従って検索結果１７のアドレス一覧を表示する。
【００１２】
参照時間は、クライアント端末１２で検索結果１７から任意のアドレス（ＵＲＬ）が選択され、次のアドレス（ＵＲＬ）が選択されるまでの時間を計測して求める。この参照時間は、キーワードおよびアドレスと関連付けられて、図３に示すテーブルに登録される。このキーワード、アドレス、参照時間が関連付けられたテーブルは、検索データベース１０に格納される。
【００１３】
図４は、参照時間を計測する方法を説明するシーケンス図である。クライアント端末１２のブラウザから検索サーバ１１に検索したいキーワードを発行する（ステップ１０１）。検索サーバ１１は、データベースから前述の３つの条件の重み付けより表示順を決定し、検索結果をクライアント端末１２に通知する（ステップ１０２）。
【００１４】
検索サーバ１１は、複数のクライアント端末から検索要求を受け付けるため、検索要求を受け付けると、検索要求を発行したクライアント端末１２に対して、クライアント端末１２を識別するための識別子の登録要求をクライアント端末１２に発行する（ステップ１０３）。なお、この識別子の登録要求を行うタイミングは、これ以前に実施しておいてもよい。
【００１５】
クライアント端末１２に表示された検索結果の一覧から利用者が任意にアドレスを選択すると、クライアント端末１２から検索サーバ１１に対して選択されたアドレスが通知される（ステップ１０４）。
【００１６】
検索サーバ１１は、選択されたアドレスがどのクライアント端末１２から発行されたのか識別子の確認要求を発行する（ステップ１０５）。クライアント端末１２から検索サーバ１１に識別子が通知される（ステップ１０６）。
【００１７】
検索サーバ１１は、識別子を取得した時点の時間Ａを採取し、クライアント端末１２が選択したアドレスに係る情報提供サーバ１５に情報提供要求を発行する（ステップ１０７）。情報提供サーバ１５からクライアント端末１２に情報画面が通知される（ステップ１０８）。
【００１８】
利用者は、クライアント端末１２の画面に表示された情報画面が該当する情報でないと判断した場合は、クライアント端末１２に表示された検索結果の一覧から再度別なアドレスを選択して、検索サーバ１１に対して選択したアドレスを通知する（ステップ１０９）。検索サーバ１１は、クライアント端末１２に対して識別子確認要求を発行する（ステップ１１０）。クライアント端末１２は、検索サーバ１１から取得していた識別子を検索サーバ１１に通知する（ステップ１１１）。検索サーバ１１は、識別子を受け取ると時間Ｂを採取する。このとき、検索サーバ１１は、時間Ｂと時間Ａとの差分を、情報提供サーバ１５の参照時間として図３に示すテーブルに登録するとともに、別の情報提供サーバ１５に情報提供要求を発行する（ステップ１１２）。その後の処理は前記述と同様である。
【００１９】
この発明を実施した場合、検索結果先がリンクサイトの場合には、その情報提供サイトから更に他の情報提供サイトに移り、参照時間が多大にかかる場合がある。この場合、参照時間が一定時間以上経過した場合には、予め決められた最大時間を参照時間として設定してもよい。
【００２０】
また、この発明は、同一サイト内において、提供している情報内容に関して、どの情報ページを利用者が注目しているか判断することも可能である。今まででは、参照回数でしか情報ページの有効性を判断することしかできなかったが、参照時間を設けることにより、参照回数が多い場合でも、利用者は内容を読んでいないという事象を判断することが可能である。
【００２１】
【発明の効果】
以上説明したように、この発明によれば、ページの参照時間、ページ内のキーワード数、過去に参照された回数（ヒット数）の３つの条件に重み付けを行うことにより表示順を決定して検索結果の表示を行うので、情報検索サービスの利用者は、目的とする情報提供サイトに無駄なく迅速に到達することができる。
【００２２】
また、この発明によれば、利用者が情報提供サイトを容易に検索できるようになるため、情報検索サービスの提供側では、情報検索サービスの利用者の増加が見込める。
【図面の簡単な説明】
【図１】この発明のインターネット情報検索システムの実施の形態を示すシステム構成図である。
【図２】検索サーバとクライアント端末の動作の概要を示す図である。
【図３】キーワード、アドレス、参照時間を関連付けたテーブルを示す図である。
【図４】参照時間を計測する方法を説明するシーケンス図である。
【符号の説明】
１０　データベース
１１　検索サーバ
１２　クライアント端末
１３　ブラウザ
１４　インターネット網
１５　情報提供サーバ
１６　検索キーワード
１７　検索結果
【図１】
2004021589.tif 000003
【図２】
2004021589.tif 000004
【図３】
2004021589.tif 000005
【図４】
2004021589.tif 000006